(57)【要約】【課題】シーン抽出に必要なマークイン／アウトの追加指示をする手間を省き、再生時に行う早送り等の通常の操作のみで、必要なシーンを抽出、録画することが可能となる。【解決手段】マーク情報生成ユニット３１は、映像情報のＩピクチャが連続発生した後のＩピクチャの不連続区間を検出し、検出された不連続区間内のいずれかのピクチャに第１の識別子を付与する。次に、第１の識別子が付与された後、Ｉピクチャが連続発生後のＩピクチャの不連続区間を検出し、検出された不連続区間内のいずれかのピクチャに第２の識別子を付与する。そして、第１の識別子と第２の識別子から必要なシーンに関わるマーク情報を記録する。【選択図】図２
2008085852.tif 000002
【特許請求の範囲】
【請求項１】
映像情報のＩピクチャが連続発生した後の前記Ｉピクチャの不連続区間を検出する第１の検出手段と、
前記第１の検出手段で検出された前記不連続区間内のいずれかのピクチャに第１の識別子を付与する第１の識別子付与手段と、
前記第１の識別子付与手段で前記第１の識別子が付与された後、前記Ｉピクチャが連続発生後の前記Ｉピクチャの不連続区間を検出する第２の検出手段と、
前記第２の検出手段で検出された前記不連続区間内のいずれかのピクチャに第２の識別子を付与する第２の識別子付与手段と、
前記第１の識別子付与手段および前記第２の識別子付与手段で付与された前記第１の識別子と前記第２の識別子を記録する記録手段とを含む映像情報記録装置。
【請求項２】
請求項１に記載の映像情報記録装置であって、
前記映像情報に予め付与されている時刻情報が、前記第１の識別子の時刻情報と前記第２の識別子の時刻情報との範囲内であるかを判定する判定手段と、
前記判定手段で、前記第１の識別子の時刻情報と前記第２の識別子の時刻情報との範囲内であると判定された前記映像情報に予め付与されている時刻情報に対応するピクチャを記録する記録手段とを含む映像情報記録装置。
【請求項３】
第１の検出手段が、映像情報のＩピクチャが連続発生した後の前記Ｉピクチャの不連続区間を検出する第１のステップと、
第１の識別子付与手段が、前記第１のステップで検出された前記不連続区間内のいずれかのピクチャに第１の識別子を付与する第２のステップと、
第２の検出手段が、前記第２のステップで前記第１の識別子が付与された後、前記Ｉピクチャが連続発生後の前記Ｉピクチャの不連続区間を検出する第３のステップと、
第２の識別子付与手段が、前記第３のステップで検出された前記不連続区間内のいずれかのピクチャに第２の識別子を付与する第４のステップと、
記録手段が、前記第２のステップおよび前記第４のステップで付与された前記第１の識別子と前記第２の識別子を記録する第５のステップとを含む映像情報記録方法。
【請求項４】
映像情報記録装置に、
第１の検出手段が、映像情報のＩピクチャが連続発生した後の前記Ｉピクチャの不連続区間を検出する第１のステップと、
第１の識別子付与手段が、前記第１のステップで検出された前記不連続区間内のいずれかのピクチャに第１の識別子を付与する第２のステップと、
第２の検出手段が、前記第２のステップで前記第１の識別子が付与された後、前記Ｉピクチャが連続発生後の前記Ｉピクチャの不連続区間を検出する第３のステップと、
第２の識別子付与手段が、前記第３のステップで検出された前記不連続区間内のいずれかのピクチャに第２の識別子を付与する第４のステップと、
記録手段が、前記第２のステップおよび前記第４のステップで付与された前記第１の識別子と前記第２の識別子を記録する第５のステップとを実行させるためのプログラム。
【発明の詳細な説明】
【技術分野】
【０００１】
本発明は、撮影された映像情報等の編集が効率よく行える映像情報記録装置に関する。
【背景技術】
【０００２】
ビデオカメラ等の撮像装置により、撮影された映像情報は、その後の編集作業を経て、ひとつの作品等にまとめられる場合が多い。たとえば、テレビジョン放送局においては、取材により撮影した映像情報の中から、必要なシーン（ある事象が適切に記録された編集対象のビデオデータ）を抽出して、所望のシーンが連続した映像情報を編集している。このような編集を効率よく行うためには、撮影した映像情報より、必要なシーンを検索し、編集対象としての決定を適切に行うことが重要である。
【０００３】
映像情報の検索・決定を適切に行うためには、ビデオカメラの撮影者が、撮影中に、必要なシーンに対応する映像情報のマークイン（開始点）とマークアウト（終了点）をビデオカメラに備え付けられたマークイン／アウトボタンを操作することで指定し、映像情報と共に、必要なシーンに関するマーク情報を取得することが可能な装置が開示されている。（特許文献１）。しかしながら、この装置では、撮影を行うと同時に、必要なシーンのマークインとマークアウトの指定を行わなければならないので、撮影後に、別途他のシーンが必要になった場合は、撮影をし直さなければならず、映像情報の編集に多大な時間を要することになる。
【０００４】
最近では、ＤＶ（Ｄｉｇｉｔａｌ  Ｖｉｄｅｏ）カメラとＤＶＤ（ＤｉｇｉｔａｌＶｅｒｓａｔｉｌｅ  Ｄｉｓｃ）レコーダ又はハードディスクレコーダ等の録画装置とをＩＥＥＥ１３９４シリアルバスを介して接続し、ＤＶカメラ側のＤＶテープに収録された映像情報をＤＶＤレコーダ又はハードディスクレコーダへダビング録画する操作が行われている。
【０００５】
このＩＥＥＥ１３９４シリアルバスを介してＤＶカメラと接続したＤＶＤレコーダでは、ダビング録画に関して次のような便利な機能がある。すなわち、ＤＶテープに記録されている映像情報の中で敢えてダビング録画する必要がないシーンがある場合、ユーザは、ダビング録画を開始する前に、ＤＶＤレコーダ側からの指示によりＤＶカメラを再生動作させ、その再生画像をＤＶカメラの液晶画面で視認することによって録画不要部分を確認し、録画不要部分の開始点と終了点をリモコン等の操作によって、ＤＶＤレコーダに記憶させる。このようにした上で、ダビング録画を実行させると、自動的に録画不要部分を除いてダビング録画が行われる。
【０００６】
更に、上述した録画不要部分の削除が適正に行われているかの不安を解消するため、実際のダビング録画を実行する前に、ユーザが指示した録画不要部分以外は早送りし、録画不要部分のみを再生させ、ユーザの確認に要する時間を大幅に短縮できる録画装置が開示されている（特許文献２）。
【０００７】
【特許文献１】特開平９−２００６８０号公報
【特許文献２】特開２００６−１２７６００号公報
【発明の開示】
【発明が解決しようとする課題】
【０００８】
上述のように、必要なシーンを取得するには、撮影中、あるいは、撮影した映像情報の再生時に、視認をした上で、録画に必要な部分を指定し編集することが最良であるが、その時、必要なシーンの開始点と終了点を知らせるためのマークイン／アウトをボタン押下等の特別な操作が必要となる。よって、録画装置には、マークイン／アウト用の操作ボタン等を追加装備することが必要になると共に、ユーザには、操作手順も追加になり、大変手間がかかるという問題が生じる。
【０００９】
本発明は、ＭＰＥＧ（Ｍｏｖｉｎｇ  Ｐｉｃｔｕｒｅ  Ｅｘｐｅｒｔ  Ｇｒｏｕｐ）規格における符号化されたビデオおよびオーディオ・ビット・ストリームの構造を利用して、撮影された映像情報から必要なシーンを極めて容易に再生録画することができる装置および方法等を提供することを目的とする。
【課題を解決するための手段】
【００１０】
本発明の映像情報記録装置は、映像情報のＩピクチャが連続発生した後のＩピクチャの不連続区間を検出する第１の検出手段と、第１の検出手段で検出された不連続区間内のいずれかのピクチャに第１の識別子を付与する第１の識別子付与手段と、第１の識別子付与手段で第１の識別子が付与された後、Ｉピクチャが連続発生後のＩピクチャの不連続区間を検出する第２の検出手段と、第２の検出手段で検出された不連続区間内のいずれかのピクチャに第２の識別子を付与する第２の識別子付与手段と、第１の識別子付与手段および第２の識別子付与手段で付与された第１の識別子と第２の識別子を記録する記録手段とを含むことを特徴とする。
【００１１】
前記の映像情報記録装置は、映像情報に予め付与されている時刻情報が、第１の識別子の時刻情報と第２の識別子の時刻情報との範囲内であるかを判定する判定手段と、判定手段で、第１の識別子の時刻情報と第２の識別子の時刻情報との範囲内であると判定された映像情報に予め付与されている時刻情報に対応するピクチャを記録する記録手段とを含ませることができる。
【００１２】
本発明の映像情報記録方法は、第１の検出手段が、映像情報のＩピクチャが連続発生した後のＩピクチャの不連続区間を検出する第１のステップと、第１の識別子付与手段が、第１のステップで検出された不連続区間内のいずれかのピクチャに第１の識別子を付与する第２のステップと、第２の検出手段が、第２のステップで第１の識別子が付与された後、Ｉピクチャが連続発生後のＩピクチャの不連続区間を検出する第３のステップと、第２の識別子付与手段が、第３のステップで検出された不連続区間内のいずれかのピクチャに第２の識別子を付与する第４のステップと、記録手段が、第２のステップおよび第４のステップで付与された第１の識別子と第２の識別子を記録する第５のステップとを含むことを特徴とする。
【００１３】
本発明のプログラムは、第１の検出手段が、映像情報のＩピクチャが連続発生した後の前記Ｉピクチャの不連続区間を検出する第１のステップと、第１の識別子付与手段が、第１のステップで検出された不連続区間内のいずれかのピクチャに第１の識別子を付与する第２のステップと、第２の検出手段が、第２のステップで第１の識別子が付与された後、Ｉピクチャが連続発生後のＩピクチャの不連続区間を検出する第３のステップと、第２の識別子付与手段が、第３のステップで検出された不連続区間内のいずれかのピクチャに第２の識別子を付与する第４のステップと、記録手段が、第２のステップおよび第４のステップで付与された第１の識別子と第２の識別子を記録する第５のステップとを含むことを特徴とする。
【発明の効果】
【００１４】
本発明によれば、シーン抽出に必要なマークイン／アウトの追加指示をする手間を省き、再生時に行う早送り等の通常の操作のみで、必要なシーンを抽出、録画することが可能となる。
【発明を実施するための最良の形態】
【００１５】
本発明を実施するための最良の形態について図面を参照して説明する。以下の実施形態では、ＨＤＶ（Ｈｉｇｈ  Ｄｅｆｉｎｉｔｉｏｎ  Ｖｉｄｅｏ）カメラとＰＣ（Ｐｅｒｓｏｎａｌ  Ｃｏｍｐｕｔｅｒ）内に装備されたＨＤ（Ｈａｒｄ  Ｄｉｓｋ）に本発明を適用した場合の例について説明する。
【００１６】
図１は、本発明の一実施形態であるＨＤＶカメラ１０と、ＰＣ内に装備されたＨＤ５０と、映像情報記録装置２０との構成を示す。この映像情報記録装置２０は、ＩＥＥＥ１３９４シリアルバス（以下、バスと略す）７０を介して、ＨＤＶカメラ１０と接続されており、ＨＤＶカメラ１０から受信したトランスポート・ストリーム符号をプログラム・ストリーム符号に変換して、電気的に接続されているＰＣのＨＤ（ハードディスク）５０に蓄積することができる。
【００１７】
図２は、本発明の一実施形態の映像情報記録装置２０の構成を示すブロック図である。映像情報記録装置２０は、マイクロプロセッサ２１と、ＩＥＥＥ１３９４インターフェース２２と、マーク情報生成ユニット３１と、指定シーン生成ユニット４０とを備えている。マイクロプロセッサ２１は、映像情報記録装置２０内の各部を制御するためのものである。また、ＩＥＥＥ１３９４インターフェース２２は、バス７０を介して外部入出力機器との間で制御用コマンドとその応答信号の送受信、及びストリームデータの送受信を行うものである。
【００１８】
マーク情報生成ユニット３１は、ＨＤＶカメラからの映像情報（映像および音響データで構成されている）の中から、必要なシーンを抽出するためのマーク情報を生成するための機能を有し、Ｐｅｓ（Ｐａｃｋｅｔｉｚｅｄ  Ｅｌｅｍｅｎｔａｒｔｙ  Ｓｔｒｅａｍ）パケット抜取り部３２と、Ｉピクチャ判定部３３と、タイムスタンプ取得部３４と、マーク情報記録部３５とを有している。
【００１９】
指定シーン生成ユニット４０は、マーク情報生成ユニット３１で生成したマーク情報を基に、指定されたシーンを生成する機能を有し、Ｐｅｓパケット抜取り部４１と、マークイン・アウト判定部４２と、ビデオ符号用タイムスタンプチェック部４３と、ビデオ符号用タイムスタンプ補正部４４と、Ｐｅｓパケット多重化部４５と、オーディオ符号用タイムスタンプチェック部４６と、オーディオ符号用タイムスタンプ補正部４７とを有している。
【００２０】
図３を用いて、映像情報の中から、必要なシーンを指定する手順について説明する。ＨＤＶカメラ１０から映像情報記録装置２０へ映像情報が送信される際、一般的なＨＤＶカメラの特性から、早送り（または、巻き戻し）再生をする場合、符号化されたビデオ・ビット・ストリームは、Ｉピクチャの連続となる。次に、通常再生にすると、Ｉピクチャが連続しなくなる。そこで、マーク情報生成ユニット３１は、ＨＤＶカメラ１０から映像情報記録装置２０へ映像情報が送信される際、早送り再生（Ｉピクチャが連続）後に、通常再生によるＩピクチャが連続しない状態が一定時間続いたら、マークインと見なし、その時点のタイムスタンプを記録する。更に、再度、その状態（Ｉピクチャが連続した後に、Ｉピクチャが連続しない状態）が一定時間続いたら、マークアウトと見なし、その時点のタイムスタンプを記録する。次に、指定シーン生成ユニット４０は、マーク情報生成ユニット３１で取得したタイムスタンプに基づいて、マークインの時点からマークアウトの時点までに対応する映像情報を抽出する。この映像情報を基に、必要なシーン（図３では、シーン２）を再生することができる。
【００２１】
また、図４に示すように、必要なシーンの切れ目のタイムスタンプが不連続な場合、記録した各マークイン後のタイムスタンプ不連続点からマークアウト前のタイムスタンプ不連続点の区間の映像情報を抽出する。なお、抽出した映像情報のタイムスタンプは、単調増加するように補正しながら変換する。このような補正を行うのは、指定シーンを複数抽出し、つなぎ合わせた場合、タイムスタンプが不連続になってしまうことに対応するためである。
【００２２】
また、図５に示すように、一旦マークアウトが記録された後に巻き戻して、先に記録したマークアウトよりも前で、一定時間通常再生した場合は、新たなマークアウトを前方に変更しても良い。
【００２３】
また、図６に示すように、マークイン、マークアウトが記録された後に巻き戻して、先に記録されたマークインよりも前で、一定時間通常再生した場合は、先に記録されたマークインを破棄し、新たなマークインに変更し、更に、先に記録されたマークアウトを破棄して、その次に一定時間再生した時、新たなマークアウトを再度記録しても良い。
【００２４】
図７、図８及び図９を用いて、ＨＤＶカメラ１０からＰＣ内に装備されたＨＤ５０へ必要シーンを録画するための映像情報記録装置２０での処理について説明する。まず、映像情報記録装置２０のマイクロプロッサ３０は、ＨＤＶカメラ１０がバス７０を介して接続されたことを検知する（不図示）。次に、ユーザは、ＨＤＶカメラ１０の操作ボタン（不図示）による早送り再生等で、必要なシーンと不必要なシーンに振り分ける。
【００２５】
図７を用いて、マーク情報生成ユニット３１で行われる必要なシーンを抽出するためのマーク情報生成手順について説明する。ＨＤＶカメラ１０での再生操作により、トランスポート・ストリーム（ＴＳ）符号が送信される。そこで、Ｐｅｓパケット抜取り部３２で、ＨＤＶカメラ１０から映像情報記録装置２０へ送信されるトランスポート・ストリーム（ＴＳ）符号から、ビデオ・パケットを抜き取る（Ｓ１１）。次に、Ｉピクチャ判定部３３で、抜き取ったビデオ・パケットに格納されているビデオ符号のピクチャ種類を判別する（Ｓ１２）。次に、Ｉピクチャが連続しているかどうかを判別して（Ｓ１３）、Ｉピクチャが連続している場合は、Ｓ１１へ戻る。Ｉピクチャが連続していない場合は、その状態が一定時間続いたかどうかを判断して（Ｓ１４）、一定時間続いていない場合は、Ｓ１１へ戻る。一定時間続いた場合は、タイムスタンプ取得部３４で、ビデオ・パケットに格納されているタイムスタンプを取得して（Ｓ１５）、取得したタイムスタンプをマークイン又はマークアウト（奇数回目はマークイン、偶数回目はマークアウト）としてマーク情報記録部３５に記録する（Ｓ１６）。そして、全フレームを終了したかどうかを判断して（Ｓ１７）、全フレームを終了していない場合は、Ｓ１１へ戻り、全フレームを終了した場合は、マーク情報生成を終了する。
【００２６】
続いて、図８及び図９を用いて、指定シーン生成ユニット４０で行われる上述したマーク情報を基に、必要なシーンを抽出して、ＰＣ内に装備されたＨＤ５０へ送信するためのプログラム・ストリーム（ＰＳ）符号に変換する手順について説明する。対象となるトランスポート・ストリーム（ＴＳ）符号は、上述したマーク情報生成ユニット３１で伝送された符号と同じものである。Ｐｅｓパケット抜取り部４１（Ｐｅｓパケット抜取り部３２で兼用する場合もあり）で、このトランスポート・ストリーム（ＴＳ）符号から、ビデオ及びオーディオのパケットを抜き取る（Ｓ３１）。抜き取ったパケットについて、マークイン・アウト判定部４２で、ビデオのタイムスタンプの各々について、マーク情報記録部３５に記録してあるタイムスタンプと比較して、マークイン〜マークアウトの期間内かどうかの判定し、記録する（Ｓ３２）。次に、ビデオ符号用タイムスタンプチェック部４３では、Ｓ３２で対象になったタイムスタンプの各々について、タイムスタンプが不連続であるかどうかの判定し、記録する（Ｓ３３）。次に、マークイン後の最初のタイムスタンプ不連続を超えているかいるかどうかを判定し（Ｓ３４）、超えていない場合は、ビデオ及びオーディオのパケットを破棄して（Ｓ３７）、Ｓ３１へ戻る。一方、超えている場合は、マークアウト後の最初のタイムスタンプ不連続を超えたかどうかどうかを判定して（Ｓ３５）、超えている場合は、ビデオ及びオーディオのパケットを破棄して（Ｓ３８）、Ｓ３１へ戻る。超えていない場合は、マークイン〜マークアウトの期間内とみなす（Ｓ３６）。
【００２７】
更に、Ｓ３６を経たパケットが、ビデオ・パケットかどうかを判断して（Ｓ４０）、ビデオ・パケットである場合は、ビデオ符号用タイムスタンプチェック部４３で判定した結果を取り出して（Ｓ４１）、タイムスタンプが不連続であるかどうかを判断して（Ｓ４２）、不連続ではない場合はＳ４４へ進み、不連続である場合には、ビデオ符号用タイムスタンプ補正部４４で、ビデオ・パケットに格納されているタイムスタンプが単調増加するように補正する（Ｓ４３）。また、Ｓ４０で、ビデオ・パケットでないと判断した場合は、オーディオ符号用タイムスタンプチェック部４６で、オーディオ・パケットに格納されているタイムスタンプを調べて（Ｓ４６）、タイムスタンプが不連続かどうかを判断して（Ｓ４７）、不連続ではない場合はＳ４４へ進み、不連続である場合には、オーディオ符号用タイムスタンプ補正部４７で、オーディオ・パケットに格納されているタイムスタンプが単調増加するように補正する（Ｓ４８）。次に、Ｐｅｓパケット多重化部４５で、ビデオ及びオーディオのパケットを多重化してプログラム・ストリーム（ＰＳ）符号を作成する（Ｓ４４）。以上の手順を全フレームに適応させ、全フレームが終了したかどうか判断して（Ｓ４５）、終了していない場合は、Ｓ３１へ戻り、終了した場合は手順完了となる。ここで、Ｐｅｓパケット多重化部４５でプログラム・ストリーム（ＰＳ）符号になった映像情報は、ＰＣ内に装備されたＨＤ５０へ送信され、蓄積される。
【図面の簡単な説明】
【００２８】
【図１】本発明の一実施形態に係る、ＨＤＶカメラとＰＣ内に装備されたＨＤと映像情報記録装置の構成を示す図。
【図２】本発明の一実施形態の映像情報記録装置の構成を示すブロック図。
【図３】映像情報の中から必要なシーンを指定する手順（その１）を示す図。
【図４】映像情報の中から必要なシーンを指定する手順（その２）を示す図。
【図５】映像情報の中から必要なシーンを指定する手順（その３）を示す図。
【図６】映像情報の中から必要なシーンを指定する手順（その４）を示す図。
【図７】マーク情報生成ユニットで行われる必要なシーンを抽出するためのマーク情報生成手順を示す図。
【図８】指定シーン生成ユニットで行われるマーク情報を基に必要なシーンを抽出して、プログラム・ストリーム（ＰＳ）符号に変換する手順を示す図。
【図９】同指定シーン生成ユニットで行われるマーク情報を基に必要なシーンを抽出して、プログラム・ストリーム（ＰＳ）符号に変換する手順を示す図。
【符号の説明】
【００２９】
１０  ＨＤＶカメラ
２０  映像情報記録装置
２１  マイクロプロセッサ
２２  ＩＥＥＥ１３９４インターフェース
３１  マーク情報生成ユニット
３２  Ｐｅｓパケット抜取り部
３３  Ｉピクチャ判定部
３４  タイムスタンプ取得部
３５  マーク情報記録部
４０  指定シーン生成ユニット
４１  Ｐｅｓパケット抜取り部
４２  マークイン・アウト判定部
４３  ビデオ符号用タイムスタンプチェック部
４４  ビデオ符号用タイムスタンプ補正部
４５  Ｐｅｓパケット多重化部
４６  オーディオ符号用タイムスタンプチェック部
４７  オーディオ符号用タイムスタンプ補正部
５０  ＰＣに装備されたＨＤ
７０  ＩＥＥＥ１３９４シリアルバス
【図１】
2008085852.tif 000003
【図２】
2008085852.tif 000004
【図３】
2008085852.tif 000005
【図４】
2008085852.tif 000006
【図５】
2008085852.tif 000007
【図６】
2008085852.tif 000008
【図７】
2008085852.tif 000009
【図８】
2008085852.tif 000010
【図９】
2008085852.tif 000011